(57)【特許請求の範囲】
【請求項１】
撮影された静止画像情報を記録媒体に記録する静止画像撮影装置であって、
前回の撮影時における撮影開始から前記記録が完了する前までの間に算出される前記記録媒体の見込み記録残容量と、該前回の撮影時の前記記録が完了した後に取得される前記記録媒体の記録残容量との差分を計算するとともに、該差分を記憶する記憶手段と、
前記前回の撮影時の前記記録が完了した後に取得される前記記録媒体の記録残容量から予め設定された前記静止画像の１枚あたりの記録容量を減算し、前記記憶手段に記憶された前記前回の撮影時における差分を加算して今回の撮影時における前記見込み記録残容量を算出するとともに、該算出した今回の撮影時における前記見込み記録残容量を前記静止画像の１枚あたりの記録容量で除算した値を計算する計算手段と、
表示手段とを設け、
前記撮影時に、前記記録媒体への前記記録が完了する前に、前記計算手段で求められた値を前記表示手段に記録残り枚数として表示する
静止画像撮影装置。
【請求項２】
請求項１記載の静止画像撮影装置において、
前記静止画像の１枚あたりの記録容量は、前記撮影時に指定される撮影モードに応じてそれぞれ異なる値が設定される
静止画像撮影装置。
【請求項３】
撮影された静止画像情報を記録媒体に記録すると共に、
前回の撮影時における撮影開始から前記記録が完了する前までの間に算出される前記記録媒体の見込み記録残容量と、該前回の撮影時の前記記録が完了した後に取得される前記記録媒体の記録残容量との差分を計算するとともに、該差分を記憶し、
前回の撮影時の前記記録が完了した後に取得される前記記録媒体の記録残容量から予め設定された前記静止画像の１枚あたりの記録容量を減算し、前記記憶手段に記憶された前記前回の撮影時における差分を加算して今回の撮影時における前記見込み記録残容量を算出するとともに、該算出した今回の撮影時における前記見込み記録残容量を前記静止画像の１枚あたりの記録容量で除算した値を計算し、
前記計算した値を、前記記録媒体への前記記録が完了する前に、記録残り枚数として表示する
静止画像撮影装置の記録残り枚数表示方法。
【請求項４】
請求項３記載の静止画像撮影装置の記録残り枚数表示方法において、
前記静止画像の１枚あたりの記録容量は、前記撮影時に指定される撮影モードに応じてそれぞれ異なる値が設定される
静止画像撮影装置の記録残り枚数表示方法。
【発明の詳細な説明】
【０００１】
【発明の属する技術分野】
本発明は、例えばデジタルスチルカメラ装置に使用して好適な静止画像撮影装置及びその記録残り枚数表示方法に関する。詳しくは、撮影された静止画像情報を記録媒体に記録する際に、記録が完了する以前に記録残り枚数が表示できるようにしたものである。
【０００２】
【従来の技術】
例えばデジタルスチルカメラ装置においては、撮影された静止画像の内容によってその記録容量が変動するために、記録媒体に記録可能な記録残り枚数を正確に表示することが困難である。このため従来の装置では、例えば記録された枚数のみを表示していた。しかしながら、このように記録された枚数のみを表示する方法では、記録残り枚数の判断は使用者に委ねるために、使用者の理解を得難いものである。
【０００３】
これに対して、装着された記録媒体の記録容量を予め想定される静止画像の１枚あたりの最大の記録容量で除算した保証枚数から、記録された枚数を減算した値を表示することが行われている。ところがこの場合に、保証枚数から記録された枚数を単純に減算しただけでは、例えば静止画像の内容によってその記録容量が少なくても記録残り枚数は１枚分が減じられることになり、実際の記録残り枚数との間で誤差が生じることになる。
【０００４】
さらに上述の予め想定される静止画像の１枚あたりの最大の記録容量は、平均的な静止画像の１枚あたりの記録容量に対してかなり大きな値が想定されるために、上述の誤差は極めて大きくなる可能性がある。このため、例えば着脱式の記録媒体を一端外して再装着すると、記録媒体の記録容量が再測定されるために、記録残り枚数が増加するなどの現象が起き、実際の記録残り枚数が表示されているにもかかわらず使用者に不信感を与える恐れが生じるものである。
【０００５】
【発明が解決しようとする課題】
一方、例えばデジタルスチルカメラ装置において、撮影された静止画像の記録を行う場合に、シャッターキーが押されてから記録媒体への記録が完了するまでには比較的多くの時間が掛かり、この間は次の撮影ができないものである。これを解決するためには、例えば記録する前の画像を一時的に記憶しておけるバッファメモリを備えて、バッファメモリに記憶できる画像の数だけ連写撮影をすることのできる装置が実施されている。
【０００６】
しかしながらこのようなバッファメモリを備えることはコストアップにつながるものである。このためローコストの機種では、バッファメモリを用いずにシャッター間隔を縮めることが求められている。そしてこのような機種においては、シャッターキーが押されてから記録媒体への記録が完了するまでの間に記録媒体の記録残り枚数を表示することによって、次の撮影がいち早く行われるようにしてシャッター間隔を縮めることが求められた。
【０００７】
これに対して例えば図３に示すような装置が提案されている。すなわち図３において、被写体（図示せず）からの映像光が、撮像レンズ３０１を通じて光量を電気信号に変換する半導体撮像素子（ＣＣＤ）３０２に照射される。そしてこの半導体撮像素子３０２からの電気信号が量子化のためのＡ／Ｄ変換器３０３に供給され、量子化された信号がデジタル信号処理により画像データを作成する信号処理回路３０４に供給される。
【０００８】
さらにこの信号処理回路３０４からの画像データが符号化のためのエンコーダ３０５に供給される。そして符号化された画像データが、フラッシュメモリ３０７への記録、またはフラッシュメモリ３０７の残り容量を検出するメモリコントローラ３０６に供給される。これによって、符号化された画像データがフラッシュメモリ３０７に記録される。
【０００９】
また装置の各ブロックを制御するマイクロコンピュータ（以下、マイコンと略称する）３０８が設けられる。このマイコン３０８からの信号が、例えば文字信号を発生する文字信号発生回路３０９に供給され、発生された文字信号が表示装置（ＬＣＤ）３１０に供給されて、マイコン３０８で指定された文字が表示される。またシャッターキー３１２からの信号がマイコン３０８に供給される。
【００１０】
さらに予め想定される静止画像の１枚あたりの最大の記録容量がリードオンリーメモリ（ＲＯＭ）３１１に記憶される。すなわちエンコーダ３０５で画像データを符号化すると、画像１枚あたりのデータサイズは、被写体の輝度情報と色情報の量などにより変動するので、その最も情報量の多い場合のデータサイズが固定値としてリードオンリーメモリ３１１に記憶される。
【００１１】
そしてこの装置において、マイコン３０８で行われる各ブロックを制御する動作は、例えば図４に示すフローチャートのように行われる。なおこの動作アルゴリズムは、例えばマイコン３０８に内蔵のリードオンリーメモリ（図示せず）に格納されているプログラムであり、無限実行されるものである。また、各変数はマイコン３０８に内蔵のランダムアクセスメモリ（図示せず）にマッピングされており、電源オン時の各変数の初期値は全て値“０”とされる。
【００１２】
そこで図４において、まずステップＳ４０１で記録履歴フラグＦＲが値“０”か否か判定される。ここで〔記録履歴フラグＦＲ＝０〕のときは、ステップＳ４０５でフラッシュメモリ３０７の残容量がメモリコントローラ３０６から取得され、メモリ残容量Ｒに代入されてステップＳ４０６に進められる。また、ステップＳ４０１で〔記録履歴フラグＦＲ≠０〕のときは、ステップＳ４０２で処理中フラグＦが値“０”か否か判定され、〔処理中フラグＦ＝０〕のときはステップＳ４０６に進められる。
【００１３】
さらにステップＳ４０２で〔処理中フラグＦ≠０〕のときはステップＳ４０３でメモリコントローラ３０６から処理完了通知があったか否か判定され、通知がなかったときはステップＳ４０６に進められる。また、ステップＳ４０３でメモリコントローラ３０６から処理完了通知があったときは、ステップＳ４０４で処理中フラグＦが値“０”にされてステップＳ４０６に進められる。
【００１４】
そしてステップＳ４０６では、メモリ残容量Ｒを画像１枚あたりのメモリ消費量Ｍで除算した結果が残り枚数Ｃに代入され、さらにステップＳ４０７で残り枚数Ｃが数値０より大きいか否か判定される。ここで〔残り枚数Ｃ＝０〕であればステップＳ４１０で文字信号発生回路３０９に撮影不可能を文字表示するための表示データが出力されて動作は終了され、ステップＳ４０１に戻される。この結果、図５のＡに示すような撮影不可能の文字が表示装置３１０に表示される。
【００１５】
また、ステップＳ４０７で〔残り枚数Ｃ＞０〕であれば、ステップＳ４０８で文字信号発生回路３０９に残り枚数Ｃを文字表示するための表示データが出力され、図５のＢに示すような残り枚数の表示データが表示装置３１０に表示される。さらにステップＳ４０９でシャッターキー３１２が押されているか否か判定され、押されていないときは動作は終了され、ステップＳ４０１に戻される。
【００１６】
これに対しステップＳ４０９でシャッターキー３１２が押されているときは、ステップＳ４１１で記録中を文字表示するための表示データが出力され、図５のＣに示すような記録中の文字が表示装置３１０に表示される。これに続いて、ステップＳ４１２でエンコーダ３０５に信号処理回路３０４から出力された画像データをエンコードするように要求され、ステップＳ４１３で処理中フラグＦが値“０”か否か判定される。
【００１７】
そしてステップＳ４１３で〔処理中フラグＦ＝０〕のときは、ステップＳ４１５で記録履歴フラグＦＲと処理中フラグＦを値“１”にしてステップＳ４１６に進められる。また、ステップＳ４１３で〔処理中フラグＦ≠０〕のときは、ステップＳ４１４でメモリコントローラ３０６から処理完了通知があるまで待ってステップＳ４１６に進められる。
【００１８】
さらにステップＳ４１６では、メモリコントローラ３０６にエンコーダ３０５から出力された符号化された画像データをフラッシュメモリ３０７に記録するように要求され、ステップＳ４１７でメモリ残容量Ｒから画像１枚あたりのメモリ消費量Ｍを減算した結果がメモリ残容量Ｒに代入されて動作は終了され、ステップＳ４０１に戻される。
【００１９】
このようにして上述の装置では、シャッターキーが押されると、画像をエンコードしてフラッシュメモリへの記録が完了する以前に、記録媒体の記録残り枚数が表示装置に表示される。このため使用者は、あと何枚撮影できるかをいち早く知ることができ、利便性を向上させることができるもので、これによってシャッター間隔を縮めることができるものである。
【００２０】
ところが上述の装置では、メモリ残容量Ｒから画像１枚あたりのメモリ消費量Ｍを単純に減算して次のメモリ残容量Ｒとしているものであり、これでは〔従来の技術〕で述べた保証枚数から記録された枚数を単純に減算したものと変わるところがない。このため例えば静止画像の内容によってその記録容量が少なくても記録残り枚数は１枚分が減じられることになり、実際の記録残り枚数との間で誤差が生じることになる。
【００２１】
そして上述の予め想定される静止画像の１枚あたりの最大の記録容量は、平均的な静止画像の１枚あたりの記録容量に対してかなり大きな値が想定されるために、上述の誤差は極めて大きくなる可能性がある。このため、例えば着脱式の記録媒体を一端外して再装着すると、記録媒体の記録容量が再測定されるために、記録残り枚数が増加するなどの現象が起き、実際の記録残り枚数が表示されているにもかかわらず使用者に不信感を与える恐れが生じるものである。
【００２２】
なお、例えばフラッシュメモリへの記録が完了した後で記録媒体のメモリ残容量Ｒを取得し、このメモリ残容量Ｒを画像１枚あたりのメモリ消費量Ｍで除算すれば、実際の記録残り枚数Ｃが求めることができる。しかしこの方法では、使用者はあと何枚撮影できるかをフラッシュメモリへの記録が完了するまで知ることができず、利便性が低下し、これによってシャッター間隔を縮めることはできないものである。
【００２３】
この出願はこのような点に鑑みて成されたものであって、解決しようとする問題点は、従来の装置及び方法では、記録媒体への記録が完了する以前に正確な記録残り枚数を表示することが困難なものであり、不正確な表示によって使用者の不信感が増大したり、また良好にシャッター間隔を縮めることができなかったというものである。
【００２４】
【課題を解決するための手段】
このため本発明においては、記録の行われた前及び後の記録媒体の記録残容量の差分を計算し、この差分を加算して記録残り枚数を求めるようにしたものであって、これによれば、記録媒体への記録が完了する以前に正確な記録残り枚数を求めることができ、使用者はあと何枚撮影できるかをいち早く知ることができ、利便性を向上させてシャッター間隔を縮めることができる。
【００２５】
【発明の実施の形態】
すなわち本発明は、撮影された静止画像情報を記録媒体に記録する静止画像撮影装置であって、前回の撮影時における撮影開始から記録が完了する前までの間に算出される記録媒体の見込み記録残容量と、該前回の撮影時の記録が完了した後に取得される記録媒体の記録残容量との差分を計算するとともに、該差分を記憶する記憶手段と、前回の撮影時の記録が完了した後に取得される記録媒体の記録残容量から予め設定された静止画像の１枚あたりの記録容量を減算し、記憶手段に記憶された前回の撮影時における差分を加算して今回の撮影時における見込み記録残容量を算出するとともに、該算出した今回の撮影時における見込み記録残容量を静止画像の１枚あたりの記録容量で除算した値を計算する計算手段と、表示手段とを設け、撮影時に、記録媒体への記録が完了する前に、計算手段で求められた値を表示手段に記録残り枚数として表示するものである。
【００２６】
また、本発明においては、撮影された静止画像情報を記録媒体に記録すると共に、前回の撮影時における撮影開始から記録が完了する前までの間に算出される記録媒体の見込み記録残容量と、該前回の撮影時の記録が完了した後に取得される記録媒体の記録残容量との差分を計算するとともに、該差分を記憶し、撮影時に、前回の撮影時の記録が完了した後に取得される記録媒体の記録残容量から予め設定された静止画像の１枚あたりの記録容量を減算し、記憶手段に記憶された前回の撮影時における差分を加算して今回の撮影時における見込み記録残容量を算出するとともに、該算出した今回の撮影時における見込み記録残容量を静止画像の１枚あたりの記録容量で除算した値を計算し、該計算した値を、記録媒体への記録が完了する前に、記録残り枚数として表示するものである。
【００２７】
以下、図面を参照して本発明を説明するに、図１は本発明による静止画像撮影装置及びその記録残り枚数表示方法を適用したデジタルスチルカメラ装置の一実施形態の構成を示すブロック図である。
【００２８】
図１において、被写体（図示せず）からの映像光が、撮像レンズ１０１を通じて光量を電気信号に変換する半導体撮像素子（ＣＣＤ）１０２に照射される。そしてこの半導体撮像素子１０２からの電気信号が量子化のためのＡ／Ｄ変換器１０３に供給され、量子化された信号がデジタル信号処理により画像データを作成する信号処理回路１０４に供給される。
【００２９】
さらにこの信号処理回路１０４からの画像データが符号化のためのエンコーダ１０５に供給される。そして符号化された画像データが、フラッシュメモリ１０７への記録、またはフラッシュメモリ１０７の残り容量を検出するメモリコントローラ１０６に供給される。これによって、符号化された画像データがフラッシュメモリ１０７に記録される。
【００３０】
また装置の各ブロックを制御するマイクロコンピュータ（以下、マイコンと略称する）１０８が設けられる。このマイコン１０８からの信号が、例えば文字信号を発生する文字信号発生回路１０９に供給され、発生された文字信号が表示装置（ＬＣＤ）１１０に供給されて、マイコン１０８で指定された文字が表示される。またシャッターキー１１２からの信号がマイコン１０８に供給される。
【００３１】
さらに予め想定される静止画像の１枚あたりの最大の記録容量がリードオンリーメモリ（ＲＯＭ）１１１に記憶される。すなわちエンコーダ１０５で画像データを符号化すると、画像１枚あたりのデータサイズは、被写体の輝度情報と色情報の量により変動するので、その最も情報量の多い場合のデータサイズが固定値としてリードオンリーメモリ１１１に記憶される。
【００３２】
また、フラッシュメモリ１０７に記録される静止画像の１枚ごとの差分情報がランダムアクセスメモリ（ＲＡＭ）１１３に記憶される。すなわち１回の撮影ごとにフラッシュメモリ１０７に記録される前及び後のフラッシュメモリ１０７の残り容量がメモリコントローラ１０６を通じて検出され、その差分情報がランダムアクセスメモリ１１３に記憶される。
【００３３】
そしてこの装置において、マイコン１０８で行われる各ブロックを制御する動作は、例えば図２に示すフローチャートのように行われる。なおこの動作アルゴリズムは、例えばマイコン１０８に内蔵のリードオンリーメモリ（図示せず）に格納されているプログラムであり、無限実行されるものである。また、各変数はマイコン１０８に内蔵のランダムアクセスメモリ（図示せず）にマッピングされており、電源オン時の各変数の初期値は全て値“０”とされる。
【００３４】
そこで図２において、まずステップＳ２０１で記録履歴フラグＦＲが値“０”か否か判定される。ここで〔記録履歴フラグＦＲ＝０〕のときは、ステップＳ２０８でフラッシュメモリ１０７の残容量（前回の撮影時の記録が完了した後に取得される記録媒体の記録残容量）がメモリコントローラ１０６から取得され、メモリ残容量Ｒに代入されてステップＳ２０９に進められる。また、ステップＳ２０１で〔記録履歴フラグＦＲ≠０〕のときは、ステップＳ２０２で処理中フラグＦが値“０”か否か判定され、〔処理中フラグＦ＝０〕のときはステップＳ２０９に進められる。
【００３５】
さらにステップＳ２０２で〔処理中フラグＦ≠０〕のときはステップＳ２０３でメモリコントローラ１０６から処理完了通知があったか否か判定され、通知がなかったときはステップＳ２０９に進められる。また、ステップＳ２０３でメモリコントローラ１０６から処理完了通知があったときは、ステップＳ２０４で処理中フラグＦが値“０”にされ、ステップＳ２０５でメモリ残容量バックアップＲＢにメモリ残容量Ｒ（前回の撮影時における撮影開始から記録が完了する前までの間に算出される記録媒体の見込み記録残容量）を代入する。
【００３６】
また、ステップＳ２０６でフラッシュメモリ１０７の残容量（前回の撮影時の記録が完了した後に取得される記録媒体の記録残容量）がメモリコントローラ１０６から取得されてメモリ残容量Ｒに代入される。そしてステップＳ２０７では、上述のメモリ残容量Ｒからメモリ残容量バックアップＲＢを減算する計算が行われ、その結果がメモリ消費量差分ＭＤ（差分）に記憶されてステップＳ２０９に進められる。
【００３７】
さらにステップＳ２０９では、メモリ残容量Ｒを画像１枚あたりのメモリ消費量Ｍで除算した結果が残り枚数Ｃに代入され、この残り枚数Ｃが数値０より大きいか否かステップＳ２１０で判定される。ここで〔残り枚数Ｃ＝０〕であればステップＳ２１３で文字信号発生回路１０９に撮影不可能を文字表示するための表示データが出力されて動作は終了され、ステップＳ２０１に戻される。この結果、図５のＡに示すような撮影不可能の文字が表示装置１１０に表示される。
【００３８】
また、ステップＳ２１０で〔残り枚数Ｃ＞０〕であれば、ステップＳ２１１で文字信号発生回路１０９に残り枚数Ｃを文字表示するための表示データが出力され、図５のＢに示すような残り枚数の表示データが表示装置１１０に表示される。さらにステップＳ２１２でシャッターキー１１２が押されているか否か判定され、押されていないときは動作は終了され、ステップＳ２０１に戻される。
【００３９】
これに対しステップＳ２１２でシャッターキー１１２が押されているときは、ステップＳ２１４で記録中を文字表示するための表示データが出力され、図５のＣに示すような記録中の文字が表示装置１１０に表示される。これに続いて、ステップＳ２１５でエンコーダ１０５に信号処理回路１０４から出力された画像データをエンコードするように要求され、ステップＳ２１６で処理中フラグＦが値“０”か否か判定される。
【００４０】
そしてステップＳ２１６で〔処理中フラグＦ＝０〕のときは、ステップＳ２２１で記録履歴フラグＦＲと処理中フラグＦを値“１”にしてステップＳ２２２に進められる。また、ステップＳ２１６で〔処理中フラグＦ≠０〕のときは、ステップＳ２１７でメモリコントローラ１０６から処理完了通知があるまで待ってステップＳ２１８に進められる。
【００４１】
また、ステップＳ２１８でメモリ残容量バックアップＲＢにメモリ残容量Ｒ（前回の撮影時における撮影開始から記録が完了する前までの間に算出される記録媒体の見込み記録残容量）が代入され、続くステップＳ２１９でフラッシュメモリ１０７の残容量（前回の撮影時の記録が完了した後に取得される記録媒体の記録残容量）がメモリコントローラ１０６から取得されてメモリ残容量Ｒに代入される。そしてステップＳ２２０では、上述のメモリ残容量Ｒからメモリ残容量バックアップＲＢを減算する計算が行われ、その結果がメモリ消費量差分ＭＤ（差分）に記憶されてステップＳ２２２に進められる。
【００４２】
さらにステップＳ２２２では、メモリコントローラ１０６にエンコーダ１０５から出力された符号化された画像データをフラッシュメモリ１０７に記録するように要求される。そしてステップＳ２２３でメモリ残容量Ｒから画像１枚あたりのメモリ消費量Ｍを減算し、さらにメモリ消費量差分ＭＤを加算した結果（今回の撮影時における見込み記録残容量）がメモリ残容量Ｒに代入されて動作は終了され、ステップＳ２０１に戻される。
【００４３】
すなわちこの実施形態においては、撮影終了時には、メモリ残容量Ｒから画像１枚あたりのメモリ消費量Ｍを減算し、さらにメモリ消費量差分ＭＤを加算した結果がメモリ残容量Ｒに記憶される。そしてこのメモリ残容量Ｒから次のメモリ消費量差分ＭＤが計算されると共に、このメモリ残容量Ｒを画像１枚あたりのメモリ消費量Ｍで除算した結果が残り枚数Ｃとして表示される。
【００４４】
このためこの実施形態においては、撮影終了時に記憶されているメモリ残容量Ｒはメモリ消費量差分ＭＤによって補正されたものであり、さらにこのメモリ消費量差分ＭＤを用いて残り枚数Ｃとして表示される値を求めることによって、フラッシュメモリへの記録が完了する以前に正確な記録残り枚数を表示装置に表示することができる。
【００４５】
従ってこの実施形態において、記録の行われた前及び後の記録媒体の記録残容量の差分を計算し、この差分を加算して記録残り枚数を求めるようにしたことによって、記録媒体への記録が完了する以前に正確な記録残り枚数を求めることができ、使用者はあと何枚撮影できるかをいち早く知ることができ、利便性を向上させてシャッター間隔を縮めることができる。
【００４６】
これによって、従来の装置及び方法では、記録媒体への記録が完了する以前に正確な記録残り枚数を表示することが困難なものであり、不正確な表示によって使用者の不信感が増大したり、また良好にシャッター間隔を縮めることができなかったものを、本発明によればこれらの問題点を容易に解消することができるものである。
【００４７】
なお上述では、記録媒体としてフラッシュメモリを用いる実施形態について説明したが、ＣＤ−Ｒ、ＣＤ−ＲＷ、ＤＶＤ−Ｒ、ＤＶＤ−ＲＷ等のディスク形の記録媒体を用いることもできる。その場合にディスク形の記録媒体は、一般的にフラッシュメモリに比較して記録に要する時間が長く、また記録の不具合などを考慮して予め想定される画像１枚あたりのメモリ消費量Ｍを大きくする必要があるので、特に本発明の採用が有効とされるものである。
【００４８】
こうして上述の静止画像撮影装置によれば、撮影された静止画像情報を記録媒体に記録する静止画像撮影装置であって、撮影毎に記録の行われる前及び後の記録媒体の記録残容量の差分を計算して記憶する記憶手段と、撮影時に、記録媒体の記録残容量から予め設定された静止画像の１枚あたりの記録容量を減算し、前回の撮影時に記憶された差分を加算して静止画像の１枚あたりの記録容量で除算した値を計算する計算手段と、表示手段とを設け、撮影時に計算手段で求められた値を表示手段に記録残り枚数として表示することにより、記録媒体への記録が完了する以前に正確な記録残り枚数を求めることができ、使用者はあと何枚撮影できるかをいち早く知ることができ、利便性を向上させてシャッター間隔を縮めることができるものである。
【００４９】
また、上述の静止画像撮影装置の記録残り枚数表示方法によれば、撮影された静止画像情報を記録媒体に記録すると共に、撮影毎に記録の行われる前及び後の記録媒体の記録残容量の差分を計算して記憶し、撮影時に、記録媒体の記録残容量から予め設定された静止画像の１枚あたりの記録容量を減算し、前回の撮影時に記憶された差分を加算して静止画像の１枚あたりの記録容量で除算した値を計算し、撮影時に計算で求められた値を記録残り枚数として表示することにより、記録媒体への記録が完了する以前に正確な記録残り枚数を求めることができ、使用者はあと何枚撮影できるかをいち早く知ることができ、利便性を向上させてシャッター間隔を縮めることができるものである。
【００５０】
さらに上述の静止画像撮影装置においては、例えば記録媒体に記録される画像情報の解像度やデータの圧縮率等の撮影モードを使用者が任意に設定できるようになっているものがある。その場合には、それらの解像度や圧縮率等の組み合わせに応じた画像１枚あたりのメモリ消費量Ｍを予め想定して記憶しておき、使用者の設定に応じて対応するメモリ消費量Ｍを用いることにより、記録残り枚数の計算を使用者が設定した撮影モードに応じて行うことができるものである。
【００５１】
なお本発明は、上述の説明した実施の形態に限定されるものではなく、本発明の精神を逸脱することなく種々の変形が可能とされるものである。
【００５２】
【発明の効果】
従って請求項１の発明によれば、記録の行われた前及び後の記録媒体の記録残容量の差分を計算し、この差分を加算して記録残り枚数を求めるようにしたことによって、記録媒体への記録が完了する以前に正確な記録残り枚数を求めることができ、使用者はあと何枚撮影できるかをいち早く知ることができ、利便性を向上させてシャッター間隔を縮めることができるものである。
【００５３】
また、請求項２の発明によれば、静止画像の１枚あたりの記録容量は、撮影時に指定される撮影モードに応じてそれぞれ異なる値が設定されることによって、記録残り枚数の計算を使用者が設定した撮影モードに応じて行うことができるものである。
【００５４】
さらに請求項３の発明によれば、記録の行われた前及び後の記録媒体の記録残容量の差分を計算し、この差分を加算して記録残り枚数を求めるようにしたことによって、記録媒体への記録が完了する以前に正確な記録残り枚数を求めることができ、使用者はあと何枚撮影できるかをいち早く知ることができ、利便性を向上させてシャッター間隔を縮めることができるものである。
【００５５】
また、請求項４の発明によれば、静止画像の１枚あたりの記録容量は、撮影時に指定される撮影モードに応じてそれぞれ異なる値が設定されることによって、記録残り枚数の計算を使用者が設定した撮影モードに応じて行うことができるものである。
【００５６】
これによって、従来の装置及び方法では、記録媒体への記録が完了する以前に正確な記録残り枚数を表示することが困難なものであり、不正確な表示によって使用者の不信感が増大したり、また良好にシャッター間隔を縮めることができなかったものを、本発明によればこれらの問題点を容易に解消することができるものである。
【図面の簡単な説明】
【図１】本発明による静止画像撮影装置及びその記録残り枚数表示方法を適用したデジタルスチルカメラ装置の一実施形態の構成を示すブロック図である。
【図２】その動作の説明のためのフローチャート図である。
【図３】従来のデジタルスチルカメラ装置のブロック図である。
【図４】その動作の説明のためのフローチャート図である。
【図５】表示の説明のための図である。
【符号の説明】
１０１…撮像レンズ、１０２…半導体撮像素子（ＣＣＤ）、１０３…Ａ／Ｄ変換器、１０４…信号処理回路、１０５…エンコーダ、１０６…メモリコントローラ、１０７…フラッシュメモリ、１０８…マイクロコンピュータ、１０９…文字信号発生回路、１１０…表示装置（ＬＣＤ）、１１１…リードオンリーメモリ（ＲＯＭ）、１１２…シャッターキー、１１３…ランダムアクセスメモリ（ＲＡＭ）
【図１】
0004724933.tif 000002
【図２】
0004724933.tif 000003
【図３】
0004724933.tif 000004
【図４】
0004724933.tif 000005
【図５】
0004724933.tif 000006